Podtech/llm-jp-corpus-v4-ja_patent huggingface dataset:
【手続補正書】
【提出日】令和3年9月3日(2021.9.3)
【手続補正１】
【補正対象書類名】特許請求の範囲
【補正対象項目名】全文
【補正方法】変更
【補正の内容】
【特許請求の範囲】
【請求項１】
冠動脈血管を解析する装置であって、
関心血管の少なくとも１つの診断画像から生成された生理学的モデルにおける複数の点について決定された複数のシミュレーションされた圧力値を有するシミュレーションされた引き抜きデータであって、前記複数の点は、前記関心血管の遠端における開始点から近端における終了点まで進む前記関心血管のセグメントに沿って延在する、シミュレーションされた引き抜きデータ、及び、
前記関心血管の前記セグメントに沿った生体内原位置で取得された複数の血管内圧力値を有する血管内引き抜きデータ
を受信する入力ユニットと、
前記シミュレーションされた引き抜きデータからシミュレーションされた引き抜き圧曲線を、また、前記血管内引き抜きデータから血管内引き抜き圧曲線を導出し、
前記シミュレーションされた引き抜き圧曲線と前記血管内引き抜き圧曲線とを比較して該シミュレーションされた引き抜き圧曲線と該血管内引き抜き圧曲線との間の少なくとも１つの不一致を識別すると共に、該少なくとも１つの不一致を出力する
重ね合わせユニットと、
を有する、装置。
【請求項２】
前記少なくとも１つの診断画像がＸ線血管造影法を用いて取得され、及び／又は前記血管内引き抜きデータが瞬時血流予備量比（ｉＦＲ）の引き抜き記録法を用いて取得される、請求項１に記載の装置。
【請求項３】
前記関心血管の前記少なくとも１つの診断画像を受信し、該関心血管の前記少なくとも１つの診断画像をセグメント化し、且つ、該セグメント化に基づいて前記生理学的モデルを生成するモデル化ユニットであって、該生理学的モデルが前記関心血管を経る流体の動態を表した流体力学的モデルを有するモデル化ユニットと、
前記シミュレーションされた引き抜きデータを前記流体力学的モデルに基づいて決定する決定ユニットと、
を更に有する、請求項１に記載の装置。
【請求項４】
前記シミュレーションされた引き抜きデータの第１表現及び前記血管内引き抜きデータの第２表現を計算する計算ユニットと、
前記第１表現及び前記第２表現を少なくとも１つの血管情報と一緒に表示する表示ユニットと、
を更に有する、請求項１に記載の装置。
【請求項５】
前記シミュレーションされた引き抜きデータは、複数のシミュレーションされた血行動態的パラメータ値を有し、
前記血管内引き抜きデータは、前記関心血管の長軸に沿った複数の血管内位置において取得された複数の血管内血行動態的パラメータ値を有し、
前記シミュレーションされた引き抜きデータ及び前記血管内引き抜きデータの比較が、前記複数の血管内血行動態的パラメータ値のうちの少なくとも１つの血管内血行動態的パラメータ値と、前記複数のシミュレーションされた血行動態的パラメータ値のうちの少なくとも１つのシミュレーションされた血行動態的パラメータ値との相関付けを更に有する、
請求項１に記載の装置。
【請求項６】
前記少なくとも１つの血管内血行動態的パラメータ値と、前記少なくとも１つのシミュレーションされた血行動態的パラメータ値との相関付けが、前記血管内引き抜きデータの取得の間に得られる追跡記録情報を用いて実行される、請求項５に記載の装置。
【請求項７】
前記生理学的モデルは前記関心血管の幾何学的モデルを更に有し、
前記幾何学的モデルにおける前記関心血管の血管長が、前記シミュレーションされた引き抜きデータから導出されたシミュレーションされた引き抜き曲線の長さの調整に基づいて調整される、
請求項１に記載の装置。
【請求項８】
前記少なくとも１つの不一致が、前記シミュレーションされた引き抜きデータから導出されたシミュレーションされた引き抜き曲線と前記血管内引き抜きデータから導出された血管内引き抜き曲線との間のスケールの差を含む、請求項１に記載の装置。
【請求項９】
前記少なくとも１つの不一致が、前記シミュレーションされた引き抜きデータから導出されたシミュレーションされた引き抜き曲線から決定されるシミュレーションされた勾配、及び、前記血管内引き抜きデータから導出された血管内引き抜き曲線から決定される血管内勾配の差を含み、前記シミュレーションされた勾配及び前記血管内勾配が前記関心血管の近端において決定される、請求項１に記載の装置。
【請求項１０】
前記少なくとも１つの不一致が、前記複数のシミュレーションされた血行動態的パラメータ値のうちの前記少なくとも１つのシミュレーションされた血行動態的パラメータ値と、前記複数の血管内血行動態的パラメータ値のうちの前記少なくとも１つの血管内血管内血行動態的パラメータ値との差を含む、請求項５に記載の装置。
【請求項１１】
冠動脈血管を解析する方法であって、
関心血管の少なくとも１つの診断画像から生成された生理学的モデルにおける複数の点について決定された複数のシミュレーションされた圧力値を有するシミュレーションされた引き抜きデータを受信するステップであって、前記複数の点は、前記関心血管の遠端における開始点から近端における終了点まで進む前記関心血管のセグメントに沿って延在する、シミュレーションされた引き抜きデータを受信するステップと、
前記関心血管の前記セグメントに沿った生体内原位置で取得された複数の血管内圧力値を有する血管内引き抜きデータを受信するステップと、
前記シミュレーションされた引き抜きデータからシミュレーションされた引き抜き圧曲線を、また、前記血管内引き抜きデータから血管内引き抜き圧曲線を導出するステップと、
前記シミュレーションされた引き抜き圧曲線と、前記血管内引き抜き圧曲線とを比較して、該シミュレーションされた引き抜き圧曲線と該血管内引き抜き圧曲線との間の少なくとも１つの不一致を識別するステップと、
前記少なくとも１つの不一致を出力するステップと、
を有する、方法。
【請求項１２】
前記関心血管の前記少なくとも１つの診断画像を受信するステップと、
前記関心血管の前記少なくとも１つの診断画像をセグメント化するステップと、
前記セグメント化に基づいて前記生理学的モデルを生成するステップであって、該生理学的モデルが前記関心血管を経る流体の動態を表した流体力学的モデルを有するステップと、
前記シミュレーションされた引き抜きデータを前記流体力学的モデルに基づいて決定するステップと、
を更に有する、請求項１１に記載の方法。
【請求項１３】
前記シミュレーションされた引き抜きデータの第１表現及び前記血管内引き抜きデータの第２表現を計算するステップと、
前記第１表現及び前記第２表現を少なくとも１つの血管情報と一緒に表示するステップと、
を更に有する、請求項１１に記載の方法。
【請求項１４】
請求項１から１０の何れか一項に記載の装置を制御するためのコンピュータプログラムであって、処理ユニットにより実行された場合に請求項１１から１３の何れか一項に記載の方法を実行する、コンピュータプログラム。
【請求項１５】
請求項１４に記載のコンピュータプログラムを記憶した、コンピュータ読取可能な媒体。
【手続補正書】
【提出日】令和3年9月1日(2021.9.1)
【手続補正１】
【補正対象書類名】特許請求の範囲
【補正対象項目名】全文
【補正方法】変更
【補正の内容】
【特許請求の範囲】
【請求項１】
検査領域を横断する放射線を放出する放射線源と、
前記検査領域を横断する前記放射線を検出する複数の検出器を有する放射線検出器アレイと、
前記放射線源と前記検査領域との間に配置された動的ボウタイフィルタであって、前記動的ボウタイフィルタは、第１のハーフウェッジ及び第２のハーフウェッジを有し、前記第１及び前記第２のハーフウェッジは、それらの間に、材料のない空間を有し、前記第１のハーフウェッジ及び前記第２のハーフウェッジは、前記放射線源から前記放射線検出器アレイへの方向にオーバラップしない、動的ボウタイフィルタと、
前記第１のハーフウェッジと機械的に連係する第１のモータであって、前記第１のハーフウェッジを移動させるように構成される第１のモータと、
前記第２のハーフウェッジと機械的に連係する第２のモータであって、前記第２のハーフウェッジを移動させるように構成される第２のモータと、
取得期間中に前記第１及び前記第２のハーフウェッジを移動させることによりそれらの間の距離を増大又は減少させるよう、前記第１及び前記第２のモータを独立して制御するコントローラと、
を有する撮像システム。
【請求項２】
前記第１のハーフウェッジと前記第２のハーフウェッジが、同じサイズ、形状、及び密度を有する、請求項１に記載の撮像システム。
【請求項３】
前記コントローラは、前記第１のハーフウェッジ及び前記第２のハーフウェッジの両方を、ある時点で同じ方向に移動させる、請求項１又は２に記載の撮像システム。
【請求項４】
前記コントローラは、前記第１のハーフウェッジ及び前記第２のハーフウェッジの両方を、ある時点で反対方向に移動させる、請求項１又は２に記載の撮像システム。
【請求項５】
前記第１及び前記第２のモータは、リニアモータである、請求項１に記載の撮像システム。
【請求項６】
物体又は被検体のサーベイスキャンから数学的なボディを作成することにより、物体又は被検体の幾何学的中心を決定するコンソールを更に有する、請求項５に記載の撮像システム。
【請求項７】
前記コントローラが、前記放射線検出器アレイにおけるＸ線フルエンスを低減するよう、前記第１のハーフウェッジ及び前記第２のハーフウェッジのうちの少なくとも１つを、第１の位置から別の位置に移動させる、請求項１乃至５のいずれか１項に記載の撮像システム。
【請求項８】
第１のムーバ及び第２のムーバを更に有し、前記第１のムーバは、第１のハーフウェッジホルダ及び前記第１のモータに結合され、前記第２のムーバは、第２のハーフウェッジホルダ及び前記第２のモータに結合され、前記第１のハーフウェッジホルダは、前記第１のハーフウェッジに結合され、前記第２のハーフウェッジホルダは、前記第２のハーフウェッジに結合される、請求項１乃至７のいずれか１項に記載の撮像システム。
【請求項９】
動的ボウタイフィルタを使用して、被検体又は物体のスキャン中に放出された放射線ビームの光線を減衰させるステップであって、前記動的ボウタイフィルタは、第１のハーフウェッジ及び第２のハーフウェッジを有し、前記第１のハーフウェッジ及び前記第２のハーフウェッジは、放射線源から放射線検出器アレイへの方向にオーバラップしない、ステップと、
予め決められたウェッジ位置プロファイルに基づいて、スキャン中に前記第１のハーフウェッジ及び前記第２のハーフウェッジとの間の距離を増大又は減少させるように、前記第１のハーフウェッジ及び前記第２のハーフウェッジをコントローラによって独立して移動させるステップと、
を有する方法。
【請求項１０】
前記被検体又は物体のサーベイスキャンを実行して、前記被検体又は物体の投影画像を生成するステップと、
前記投影画像から前記被検体の輪郭及び中心点を識別するステップと、
前記中心点を使用して、前記被検体又は物体に関する水等価の均質な楕円を作成するステップと、
前記水等価の均質な楕円に基づいて、前記予め決められたウェッジ位置プロファイルを決定するステップと、
を更に有する、請求項９に記載の方法。
【請求項１１】
検出器のフルエンスが予め決められたフルエンス許容基準を満たす前記第１のハーフウェッジ又は前記第２のハーフウェッジの位置を数学的に算出するステップ、を更に有する、請求項１０に記載の方法。
【請求項１２】
前記検出器のフルエンスが前記予め決められたフルエンス許容基準を満たす前記第１のハーフウェッジ及び前記第２のハーフウェッジの前記位置を使用して、前記予め決められたウェッジ位置プロファイルを作成するステップ、を更に有する、請求項１１に記載の方法。
【手続補正書】
【提出日】令和3年8月27日(2021.8.27)
【手続補正１】
【補正対象書類名】特許請求の範囲
【補正対象項目名】全文
【補正方法】変更
【補正の内容】
【特許請求の範囲】
【請求項１】
低侵襲緑内障手術（ＭＩＧＳ）インプラントを用いて緑内障について処置されている又は処置されたヒトの眼のドレナージ・ブレブの瘢痕形成を防止又は低減する方法に使用するためのβ線の線源を含む組成物であって、前記β線の線源からのβ線が前記眼の標的領域へと施与されるように、前記組成物が前記眼に投与されることを特徴とし、前記標的領域は、前記ブレブの少なくとも一部分である、組成物。
【請求項２】
前記インプラントは、前記眼の前房と、前記眼の結膜下腔又は前記結膜とテノン鞘との間の空腔のいずれかとの間に挿入するためのものである、請求項１に記載の組成物。
【請求項３】
前記β線の線源は、一定線量のβ線を前記標的に与え、前記標的上の任意の点における前記線量は、深さにおける前記標的上の任意の他の点における線量の２０％以内である、請求項１または２に記載の組成物。
【請求項４】
前記β線の線源は、ストロンチウム９０（Ｓｒ−９０）、リン３２（Ｐ−３２）、ルテニウム１０６（Ｒｕ−１０６）、イットリウム９０（Ｙ−９０）、又は前記の組み合わせを含む、請求項１から３までのいずれか一項に記載の組成物。
【請求項５】
前記ＭＩＧＳインプラントは、ブレブを形成する、前記眼の中のインプラントである、請求項１から４までのいずれか一項に記載の組成物。
【請求項６】
前記β線の線源は、アプリケータに取り付けられる、請求項１から５までのいずれか一項に記載の組成物。
【請求項７】
前記アプリケータは、ハンドルと、遠位部分と、前記β線の線源のための空洞又は取り付け部位とを備える、請求項６に記載の組成物。
【請求項８】
前記β線の線源を一時的に遮蔽するための取り外し可能キャップをさらに備える、請求項７に記載の組成物。
【請求項９】
前記キャップは使い捨てである、請求項８に記載の組成物。
【請求項１０】
前記標的はブレブ全体である、請求項１から９までのいずれか一項に記載の組成物。
【請求項１１】
前記標的である前記ブレブの前記部分は、前記ブレブの周縁である、請求項１から９までのいずれか一項に記載の組成物。
【請求項１２】
前記標的である前記ブレブの前記部分は、前記ブレブの周縁、及び、前記ブレブの中心と前記周縁との間の部分である、請求項１から９までのいずれか一項に記載の組成物。
【請求項１３】
前記標的領域は前記ＭＩＧＳインプラントの端部を囲む、請求項１から９までのいずれか一項に記載の組成物。
【請求項１４】
β線を放出するためのアプリケータを準備するための方法であって、β線を放出するラジオアイソトープをアプリケータ内の空洞内へと挿入することを含み、前記アプリケータは、ハンドルと、前記空洞を有する遠位部分とを備え、前記β線を放出するラジオアイソトープは、一定の放射線量を前記標的に与えるように構築されており、前記標的上の任意の点における線量は、深さにおける前記標的上の任意の他の点における線量の２０％以内である、方法。
【請求項１５】
前記β線を放出するラジオアイソトープは、ストロンチウム９０（Ｓｒ−９０）、リン３２（Ｐ−３２）、ルテニウム１０６（Ｒｕ−１０６）、イットリウム９０（Ｙ−９０）、又は前記の組み合わせを含む、請求項１４に記載の方法。
【請求項１６】
前記アプリケータは、ハンドルと、遠位部分と、前記β線を放出するラジオアイソトープのための空洞又は取り付け部位とを備える、請求項１４または１５に記載の方法。
【請求項１７】
緑内障について処置されているヒトの眼のドレナージ・ブレブにおける瘢痕の形成を防止又は低減するためのキットであって、前記製品は、
ａ．前記眼の標的領域を照射するためのβ線源であり、前記標的領域は、前記ブレブの少なくとも一部分である、β線源と、
ｂ．経強膜的に挿入するためのインプラントであり、前記インプラントは、前記眼の結膜下腔内又は結膜とテノン鞘との間の空腔内に前記ブレブを形成する、インプラントと
を備える、キット。
【請求項１８】
前記インプラントは、前記眼の前房と、前記眼の結膜下腔又は前記結膜とテノン鞘との間の空腔のいずれかとの間に挿入するためのものである、請求項１７に記載のキット。
【請求項１９】
前記β線源は、一定線量のβ線を前記標的に与え、前記標的上の任意の点における前記線量は、深さにおける前記標的上の任意の他の点における線量の２０％以内である、請求項１７または１８に記載のキット。
【請求項２０】
前記β線源は、ストロンチウム９０（Ｓｒ−９０）、リン３２（Ｐ−３２）、ルテニウム１０６（Ｒｕ−１０６）、イットリウム９０（Ｙ−９０）、又は前記の組み合わせを含む、請求項１７から１９までのいずれか一項に記載のキット。
【請求項２１】
前記インプラントは低侵襲緑内障手術（ＭＩＧＳ）インプラントである、請求項１７から２０までのいずれか一項に記載のキット。
【請求項２２】
前記ＭＩＧＳインプラントは、ブレブを形成する、前記眼の中のインプラントである、請求項２１に記載のキット。
【請求項２３】
前記β線源を前記眼の前記標的領域に施与するためのアプリケータをさらに備える、請求項１７から２２までのいずれか一項に記載のキット。
【請求項２４】
前記β線源は、前記アプリケータに取り外し可能に取り付けられる、請求項２３に記載のキット。
【請求項２５】
前記β線源は、前記アプリケータに固定的に取り付けられる、請求項２３に記載のキット。
【請求項２６】
前記アプリケータは、ハンドルと、遠位部分と、前記β線源のための空洞又は取り付け部位とを備える、請求項２３から２５までのいずれか一項に記載のキット。
【請求項２７】
前記β線源を一時的に遮蔽するための取り外し可能キャップをさらに備える、請求項２３から２６までのいずれか一項に記載のキット。
【手続補正書】
【提出日】令和3年9月3日(2021.9.3)
【手続補正１】
【補正対象書類名】特許請求の範囲
【補正対象項目名】全文
【補正方法】変更
【補正の内容】
【特許請求の範囲】
【請求項１】
バイオ複合材料を含む医療用インプラントであって、前記バイオ複合材料が、ポリマーおよび複数の強化繊維を含み、前記バイオ複合材料医療用インプラント中の鉱物組成物の重量パーセントが、３０〜６０％の範囲であり、前記繊維の平均直径が、１〜１００ミクロンの範囲であり、前記医療用インプラントが複数のネジ山が切られ；前記繊維が複数のらせん状繊維および複数の長手方向繊維を含み；前記らせん状繊維の前記長手方向繊維に対する重量パーセント比率が、９０：１０〜１０：９０である、インプラント。
【請求項２】
前記らせん状繊維の巻き角が、５〜６０度または２０〜４５度の範囲である、請求項１に記載のインプラント。
【請求項３】
前記インプラントネジ山が、一定のピッチまたは可変ピッチである、請求項１または２に記載のインプラント。
【請求項４】
前記バイオ複合材料が、複数の層に配列され、各層の繊維が、隣接層に対し不連続であり、
任意選択で、第１層のらせん状繊維が、時計回りに巻き付けられ、一方、隣接層のらせん状繊維が、反時計回りに巻き付けられ、
さらに任意選択で、前記巻き角が、前記インプラントのより大きなねじれ応力の領域に向けて巻き付けられる、
請求項２または３に記載のインプラント。
【請求項５】
複数のらせん状層および複数の長手方向層をさらに含み、前記らせん状および長手方向層が、前記インプラント中で同心状の領域を形成するように、前記インプラントの壁厚の不連続領域にそれぞれグループ分けされる、請求項４に記載のインプラント。
【請求項６】
前記らせん状層の数が、１〜１５の範囲、好ましくは１〜１０の範囲、より好ましくは４〜６の範囲、または任意選択で、８〜１５の範囲であり、
任意選択で、前記ネジを切ったインプラントの直径が、２〜４ｍｍの範囲で、前記らせん状層の数が、２〜１２の範囲、好ましくは３〜８である、
請求項５に記載のインプラント。
【請求項７】
前記長手方向層の数が、１〜１５の範囲、好ましくは１〜１０の範囲、より好ましくは４〜６の範囲、または任意選択で、１〜５の範囲である、請求項６に記載のインプラント。
【請求項８】
前記層に沿って複数の連続繊維を含む複数の層の内の少なくとも１つの層、および複数のチョップド繊維を含む少なくとも１つの他の層をさらに含み、前記チョップド繊維の長さが、前記少なくとも１つの他の層の長さ未満であり、
任意選択で、前記チョップド繊維の平均長さが、前記インプラントの長さの１０％未満、好ましくは前記インプラントの５％未満であり、
さらに任意選択で、前記インプラントが、複数のネジ山を含み、前記チョップド繊維が、強化のために前記ネジ山に配置される、
請求項４〜７のいずれかに記載のインプラント。
【請求項９】
単一セットのネジ山を含み、または、複数セットのネジ山を含み、または、固定リードもしくは漸進的リードを有するネジ山を含み、または、固定ピッチもしくは漸進的ピッチを有するネジ山を含む、請求項１〜８のいずれかに記載のインプラント。
【請求項１０】
ねじ切りが、円周全体を通して連続ではなく、任意選択で、前記ネジ山の平均深さが、０．２〜４ｍｍの範囲である、請求項１〜９のいずれかに記載のインプラント。
【請求項１１】
前記ネジ山中で中断する１つまたは複数の長手方向溝をさらに含み、
任意選択で、前記溝が、前記ネジ山の全長に及び、
さらに任意選択で、前記溝が、前記ネジ山の長さの最大８０％に及ぶ、
請求項１〜１０のいずれかに記載のインプラント。
【請求項１２】
前記鉱物組成物が、シリカ系である、請求項１に記載のインプラント。
【請求項１３】
前記バイオ複合材料組成物の密度が、０．５〜４ｇ／ｃｍ３、１〜３ｇ／ｃｍ３、または１．３〜２．５ｇ／ｃｍ３である、請求項１に記載のインプラント。
【請求項１４】
前記鉱物含量が、前記鉱物組成物から作製される強化鉱物繊維によりもたらされる、請求項１に記載のインプラント。
【請求項１５】
前記繊維が、前記バイオ複合材料を含むポリマーマトリックス中に埋め込まれ、
任意選択で、前記ポリマーには、ラクチド、グリコリド、カプロラクトン、バレロラクトン、カーボネート（例えば、トリメチレンカーボネート、テトラメチレンカーボネート、など）、ジオキサノン（例えば、１，４−ジオキサノン）、δ−バレロラクトン、１，ジオキセパノン（例えば、１，４−ジオキセパン−２−オンおよび１，５−ジオキセパン−２−オン）、エチレングリコール、エチレンオキシド、エステルアミド、γ−ヒドロキシバレレート、β−ヒドロキシプロピオネート、α−ヒドロキシ酸、ヒドロキシブテレート、ポリ（オルトエステル）、ヒドロキシアルカノエート、チロシンカーボネート、ポリイミドカーボネート、ポリ（ビスフェノールＡ−イミノカルボネートおよびポリ（ヒドロキノンイミノカルボネート）などのポリイミノカーボネート、ポリウレタン、ポリ無水物、ポリマー薬物（例えば、ポリジフルニサル、ポリアスピリン、およびタンパク質治療薬）、糖類；デンプン、セルロースおよびセルロース誘導体、ポリサッカライド、コラーゲン、キトサン、フィブリン、ヒアルロン酸、ポリペプチド、タンパク質、ポリ（アミノ酸）、ポリラクチド（ＰＬＡ）、ポリ−Ｌ−ラクチド（ＰＬＬＡ）、ポリ−ＤＬ−ラクチド（ＰＤＬＬＡ）；ポリグリコリド（ＰＧＡ）；グリコリドのコポリマー、グリコリド／トリメチレンカーボネートコポリマー（ＰＧＡ／ＴＭＣ）；ＰＬＡの他のコポリマー、例えば、ラクチド／テトラメチルグリコリドコポリマー、ラクチド／トリメチレンカーボネートコポリマー、ラクチド／ｄ−バレロラクトンコポリマー、ラクチド／ε−カプロラクトンコポリマー、Ｌ−ラクチド／ＤＬ−ラクチドコポリマー、グリコリド／Ｌ−ラクチドコポリマー（ＰＧＡ／ＰＬＬＡ）、ポリラクチド−コ−グリコリド；ＰＬＡのターポリマー、例えば、ラクチド／グリコリド／トリメチレンカーボネートターポリマー、ラクチド／グリコリド／ε−カプロラクトンターポリマー、ＰＬＡ／ポリエチレンオキシドコポリマー；ポリデプシペプチド；非対称性３，６−置換ポリ−１，４−ジオキサン−２，５−ジオン；ポリヒドロキシブチレート（ＰＨＢ）などのポリヒドロキシアルカノエート；ＰＨＢ／ｂ−ヒドロキシバレレートコポリマー（ＰＨＢ／ＰＨＶ）；ポリーｂ−ヒドロキシプロピオネート（ＰＨＰＡ）；ポリ−ｐ−ジオキサノン（ＰＤＳ）；ポリ−ｄ−バレロラクトン−ポリ−ε−カプララクトン（ｃａｐｒａｌａｃｔｏｎｅ）、ポリ（ε−カプロラクトン−ＤＬ−ラクチド）コポリマー；メチルメタクリレート−Ｎ−ビニルピロリドンコポリマー；ポリエステルアミド；シュウ酸のポリエステル；ポリジヒドロピラン；ポリアルキル−２−シアノアクリレート；ポリウレタン（ＰＵ）；ポリビニルアルコール（ＰＶＡ）；ポリペプチド；ポリ−ｂ−リンゴ酸（ＰＭＬＡ）；ポリ−ｂ−アルカン酸；ポリカーボネート；ポリオルトエステル；ポリリン酸；ポリ（エステル無水物）；およびこれらの混合物および誘導体、コポリマーならびにこれらの混合物が含まれる、請求項１４のいずれかに記載のインプラント。
【手続補正書】
【提出日】令和3年9月10日(2021.9.10)
【手続補正１】
【補正対象書類名】特許請求の範囲
【補正対象項目名】全文
【補正方法】変更
【補正の内容】
【特許請求の範囲】
【請求項１】
メラニンに特異的に結合するモノクローナル抗体であって、キメラ抗体又はヒト化抗体である、前記抗体。
【請求項２】
ヒト化抗体である、請求項１に記載の抗体であって、任意でマウスモノクローナル抗体の配列のヒト化形態であり、任意でマウス８Ｃ３抗体のヒト化形態である、前記抗体。
【請求項３】
配列番号４又は配列番号３のアミノ酸配列を含む重鎖を含むか、或いは
配列番号５、配列番号６、又は配列番号７のアミノ酸配列を含む軽鎖を含む、請求項１又は２に記載の抗体。
【請求項４】
配列番号４のアミノ酸配列を含む重鎖及び配列番号５のアミノ酸配列を含む軽鎖；
配列番号３のアミノ酸配列を含む重鎖及び配列番号５のアミノ酸配列を含む軽鎖；
配列番号３のアミノ酸配列を含む重鎖及び配列番号６のアミノ酸配列を含む軽鎖；
配列番号３のアミノ酸配列を含む重鎖及び配列番号７のアミノ酸配列を含む軽鎖；
配列番号４のアミノ酸配列を含む重鎖及び配列番号６のアミノ酸配列を含む軽鎖；又は
配列番号４のアミノ酸配列を含む重鎖及び配列番号７のアミノ酸配列を含む軽鎖；
を含む、請求項３に記載の抗体。
【請求項５】
抗体の重鎖が、配列番号８、配列番号９、又は配列番号１０のＣＤＲ配列のうちの少なくとも１つを含む；
抗体の軽鎖が、配列番号１１、配列番号１２、配列番号１５、配列番号１３、又は配列番号１４のＣＤＲ配列のうちの少なくとも１つを含む；
抗体の重鎖が、配列番号８、配列番号９、又は配列番号１０のＣＤＲ配列のうちの少なくとも１つを含み、かつ、抗体の軽鎖が、配列番号１１、配列番号１２、配列番号１３、配列番号１４、又は配列番号１５のＣＤＲ配列のうちの少なくとも１つを含む；或いは
抗体の重鎖が、配列番号８、配列番号９、若しくは配列番号１０に由来するＣＤＲ配列を含み、及び／又は軽鎖が、配列番号１３若しくは配列番号１４に由来するＣＤＲ配列を含む；
請求項１〜４のいずれかに記載の抗体。
【請求項６】
抗原結合性フラグメントである、請求項１又は２に記載の抗体。
【請求項７】
キメラ抗体である、請求項１に記載の抗体であって、任意でマウス−ヒトキメラ抗体であり、任意で前記キメラ抗体が、マウス可変領域及びヒト定常領域を含む、前記抗体。
【請求項８】
配列番号１のアミノ酸配列を含む軽鎖、及び／又は配列番号２のアミノ酸配列を含む重鎖を含む、請求項１又は７に記載の抗体。
【請求項９】
二重特異性抗体である、請求項１〜８のいずれかに記載の抗体であって、任意で前記二重特異性抗体が、メラニンを標的とする第１のアーム及び免疫チェックポイントインヒビターを含む抗原を標的とする第２のアームを含み、任意で前記免疫チェックポイントインヒビターが、ＣＴＬＡ４、ＰＤ−１、又はＰＤ−Ｌ１である、前記抗体。
【請求項１０】
薬剤にコンジュゲートされている、請求項１〜９のいずれかに記載の抗体であって、任意で前記薬剤が、放射性核種であり、任意で前記放射性核種が、アルファ放出体であり、任意で前記放射性核種が、２１３−ビスマス、２２３−ラジウム、２２４−ラジウム、２２５−ラジウム、２２５−アクチニウム、２１２−鉛、２１２−ビスマス、２１１−アスタチン、２５５−フェルミウム、及び２２７−トリウムから選択され、任意で前記放射性核種が、２１３−Ｂｉ又は１７７−Ｌｕである、前記抗体。
【請求項１１】
薬剤が、リンカーを介して抗体にコンジュゲートされている、請求項１０に記載の抗体。
【請求項１２】
請求項１〜１１のいずれかに記載の抗体と、薬理学的に許容される担体とを含む医薬組成物。
【請求項１３】
メラノーマの処置における使用のための、治療有効量の請求項１〜１１のいずれかに記載の抗体又は請求項１２に記載の組成物であって、任意で前記メラノーマが、転移性である、前記抗体又は組成物。
【請求項１４】
有効量の少なくとも１つの追加の薬剤と併用される、請求項１３に記載の使用のための抗体又は組成物であって、任意で前記薬剤が、免疫チェックポイントインヒビターであり、任意で前記免疫チェックポイントインヒビターが、ＣＴＬＡ−４、ＰＤ−１、及びＰＤＬ−１から選択される、前記抗体又は組成物。
【請求項１５】
コンジュゲート抗体を作製する方法であって、請求項１〜１１のいずれかに記載の抗体を薬剤にコンジュゲートするステップを含み、任意で前記薬剤が、放射性核種であり、任意で前記放射性核種が、アルファ放出体であり、任意で前記放射性核種が、２１３−ビスマス、２２３−ラジウム、２２４−ラジウム、２２５−ラジウム、２２５−アクチニウム、２１２−鉛、２１２−ビスマス、２１１−アスタチン、２５５−フェルミウム、及び２２７−トリウムから選択され、任意で前記放射性核種が、２１３−Ｂｉ又は１７７−Ｌｕである、前記方法。
【請求項１６】
請求項１〜１１のいずれかに記載の抗体のアミノ酸配列をコードするポリヌクレオチドであって、任意で配列番号２１又は配列番号２４のヌクレオチド配列を含み、任意で前記配列が、ヒトにおける発現のためにコドン最適化されている、前記ポリヌクレオチド。
【請求項１７】
請求項１６に記載のポリヌクレオチドを含むベクター。
【請求項１８】
請求項１７に記載のベクターを含む細胞株。
【請求項１９】
請求項１〜１１に記載の抗体のうちのいずれかを発現するクローン細胞。
【手続補正書】
【提出日】令和3年9月3日(2021.9.3)
【手続補正１】
【補正対象書類名】特許請求の範囲
【補正対象項目名】全文
【補正方法】変更
【補正の内容】
【特許請求の範囲】
【請求項１】
幹細胞を標的にするインビトロの方法であって、ガンマ−カルボキシルグルタミン酸成分（ＧＬA成分）に連結したペイロードを含む分子と細胞とを接触させる工程を含み、
前記ＧＬA成分が、ＧＬAドメインまたはその活性断片を含み、前記分子がＧＬAタンパク質由来の活性触媒ドメインを含まない、方法。
【請求項２】
ガンマ−カルボキシルグルタミン酸成分（ＧＬA成分）に連結したペイロードを含む、患者に投与され、幹細胞を標的化する、ペイロードの生体内への送達用分子であって、前記ＧＬA成分は、ＧＬAドメイン又はその活性断片を含み、前記分子は、ＧＬＡタンパク質由来の活性触媒ドメインを含まない、分子。
【請求項３】
ＧＬAドメインまたはその活性断片が、トロンビン、第ＶＩＩ因子、第ＩＸ因子、第Ｘ因子、プロテインＣ、プロテインＳ、プロテインＺ、オステオカルシン、マトリックスＧＬAタンパク質（ＭＧＰ）、ＧＡＳ６、トランスサイレチン（ＴＴＲ）、インターアルファトリプシン阻害剤、ペリオスチン、プロリンリッチＧＬA１（ＰＲＲＧ１）、プロリンリッチＧＬA２（ＰＲＲＧ２）、プロリンリッチＧＬA３（ＰＲＲＧ３）、及びプロリンリッチＧＬA４（ＰＲＲＧ４）から独立して選択されるタンパク質由来である、請求項１に記載の方法又は請求項２記載の送達用分子。
【請求項４】
前記ＧＬAドメインまたはその活性断片がプロテインＳ由来である、請求項３に記載の方法又は送達用分子。
【請求項５】
前記ＧＬA成分が、ＥＧＦドメインをさらに含む、請求項１から４のいずれか１項に記載の方法又は送達用分子。
【請求項６】
前記ＥＧＦドメインがプロテインＳ由来である、請求項５に記載の方法又は送達用分子。
【請求項７】
前記ＧＬAドメイン成分が、クリングルドメインをさらに含む、請求項１から請求項６のいずれかに記載の方法又は送達用分子。
【請求項８】
前記ＧＬA成分が配列番号６に示した配列を含む、請求項１から請求項７のいずれか１項に記載の方法又は送達用分子。
【請求項９】
前記分子が前記幹細胞に内部移行される、請求項１から請求項８のいずれか１項に記載の方法又は送達用分子。
【請求項１０】
前記細胞が非アポトーシス性である、請求項１から請求項９のいずれか１項に記載の方法又は送達用分子。
【請求項１１】
前記細胞がアポトーシス性である、請求項１から請求項１０のいずれか１項に記載の方法又は送達用分子。
【請求項１２】
前記幹細胞が、胚性幹細胞または成人幹細胞であり、外套細胞、放射状グリア細胞、骨髄間質細胞、骨膜、膵臓前駆細胞、血管内皮前駆細胞、芽細胞、及び栄養膜幹細胞などの、前駆細胞、造血幹細胞、筋原幹細胞、骨芽前駆幹細胞、神経幹細胞、及び間葉系幹細胞を含む、請求項１から請求項１１のいずれか１項に記載の方法又は送達用分子。
【請求項１３】
前記幹細胞が表面マーカーＣＤ３４を発現し、Ｌｉｎｅａｇｅ陽性表面マーカーに対して陰性である（すなわちＬｉｎ−ｖｅである）、請求項１から請求項１２のいずれか１項に記載の方法又は送達用分子。
【請求項１４】
前記幹細胞が、ＣＤ９０＋ｖｅ、ＣＤ１３３＋ｖｅ、ＣＤ１０５＋ｖｅ、ＣＤ４５＋、Ｌｉｎ−ｖｅ、ＣＤ４８−ｖｅ、及びＣＤ２４４−ｖｅである、請求項１から請求項１３のいずれか１項に記載の方法又は送達用分子。
【請求項１５】
前記幹細胞が、Ｌｉｎ−ｖｅ、ＣＤ３４＋ｖｅ、ＣＤ３８−ｖｅ、ＣＤ４５ＲＡ−ｖｅ、ＣＤ９０＋ｖｅ、及びＣＤ４９ｆ＋ｖｅである、請求項１から請求項１４のいずれか１項に記載の方法又は送達用分子。
【請求項１６】
前記幹細胞が非癌性である、請求項１から請求項１５のいずれか１項に記載の方法又は送達用分子。
【請求項１７】
前記幹細胞が癌幹細胞である、請求項１から請求項１６のいずれか１項に記載の方法又は送達用分子。
【請求項１８】
前記癌幹細胞が上皮由来のものである、請求項１７に記載の方法又は送達用分子。
【請求項１９】
癌幹細胞が、ＣＤ４４、ＣＤ１３３、ＣＤ２４、ＣＤ９０、ＣＤ２７１、ＣＤ４ｆ、ＣＤ１３、及びこれらのうちの２つ以上の組み合わせから選択される表面マーカーを発現する、請求項１８に記載の方法又は送達用分子。
【請求項２０】
前記幹細胞が造血性由来のものである、請求項１から請求項１７のいずれか１項に記載の方法又は送達用分子。
【手続補正書】
【提出日】令和3年5月19日(2021.5.19)
【手続補正１】
【補正対象書類名】特許請求の範囲
【補正対象項目名】全文
【補正方法】変更
【補正の内容】
【特許請求の範囲】
【請求項１】
歯の処置を行うためのマウスピースであって、
−  歯を照らすように配置される１つ又はそれよりも多くの光源と、
−  出力面を備える光学配光ユニットとを含み、該光学配光ユニットは、前記１つ又はそれよりも多くの光源からの光線の少なくとも一部を、前記光線が前記出力面を通じて出る前に、前記歯に方向変更するように、並びに／或いは前記出力面から前記光学配光ユニット内に注入される散乱光線を方向変更して前記出力面に戻すように構成され、
−  前記１つ又はそれよりも多くの光源及び前記光学配光ユニットは、２０ｍＷ／ｃｍ２よりも大きい歯の放射照度を提供するように構成され、
前記１つ又はそれよりも多くの光源は、前記光学配光ユニットの熱絶縁性よりも低い熱絶縁性を有する支持構造に取り付けられる、
マウスピース。
【請求項２】
前記光学配光ユニットは、前記１つ又はそれよりも多くの光源から前記出力面への前記光線の少なくとも０．８ｍｍの最小光路長を提供するように構成される、請求項１に記載のマウスピース。
【請求項３】
前記光学配光ユニットは、前記１つ又はそれよりも多くの光源から前記出力面への熱経路に沿って少なくとも０．００１ｍ２Ｋ／Ｗの最小熱絶縁性を提供するように構成される、請求項１に記載のマウスピース。
【請求項４】
前記光学配光ユニットは、前記出力面に配置され、前記出力面から離れる方向に突出する、距離部材を含む、請求項１に記載のマウスピース。
【請求項５】
前記光学配光ユニットは、前記１つ又はそれよりも多くの光源からの前記光線の少なくとも前記一部を方向変更するように構成される光方向変更構造を含み、該光方向変更構造の少なくとも一部は、前記１つ又はそれよりも多くの光源と前記出力面との間に配置される、請求項１に記載のマウスピース。
【請求項６】
前記出力面を介して前記光学的に透明な配光ユニットに透過される前記散乱光線を方向変更して前記出力面に戻すように構成される後方反射器を含み、該後方反射器は、前記光学的に透明な配光ユニットの後側の少なくとも一部に亘って延在する、請求項１に記載のマウスピース。
【請求項７】
前記光学配光ユニットは、前記光線が前記出力面を通じて出る前に、前記１つ又はそれよりも多くの光源からの前記光線の少なくとも一部を方向変更するために、前記１つ又はそれよりも多くの光源から前記光学的に透明な配光ユニットに注入される前記光線の少なくとも一部の全反射を引き起こすように構成される、請求項１に記載のマウスピース。
【請求項８】
前記１つ又はそれよりも多くの光源は、隣接する光源が少なくとも３ｍｍだけ、最大で８ｍｍだけ分離されるように配置される、請求項１に記載のマウスピース。
【請求項９】
前記出力面での放射照度は、前記照らされる歯の６５％での放射照度が所望の放射照度から２５％以下だけ逸脱し、前記照らされる歯の７５％での放射照度が所望の強度から１５％以下だけ逸脱するように、実質的に均一である、請求項１に記載のマウスピース。
【請求項１０】
前記光学配光ユニットは透明である、請求項１に記載のマウスピース。
【請求項１１】
シール構造を含み、該シール構造は、塗布される歯科物質を、前記出力面、該シール構造、及び前記歯の前側によって画定される空間内に保持するように構成される、請求項１に記載のマウスピース。
【請求項１２】
前記シール構造は、光を方向変更して前記歯の前記前側に戻すよう反射的である材料で作られる、請求項１１に記載のマウスピース。
【手続補正書】
【提出日】令和3年6月23日(2021.6.23)
【手続補正１】
【補正対象書類名】特許請求の範囲
【補正対象項目名】全文
【補正方法】変更
【補正の内容】
【特許請求の範囲】
【請求項１】
外科用マルチツール器具であって、
本体と、
前記本体に連結されたナビゲーションアレイと、
前記本体に選択的に取り付け可能なハンドルと、
前記本体を通じて互換的に挿入可能な１つ又は２つ以上の器具シャフトであって、
鋭利な先端の針、又は、
鈍い先端のマンドリン、を備える、１つ又は２つ以上の器具シャフトと、を備える、外科用マルチツール器具。
【請求項２】
前記本体の外部表面上に配置可能な１つ又は２つ以上の拡張器管を更に備える、請求項１に記載の器具。
【請求項３】
前記拡張器管は、前記ナビゲーションアレイ上の前記拡張器管の通過を可能にするスロットを含む、請求項２に記載の器具。
【請求項４】
前記１つ又は２つ以上の器具シャフトはエネルギー送達要素を備える、請求項１に記載の器具。
【請求項５】
前記エネルギー送達要素はマイクロ波アブレーション要素を含む、請求項４に記載の器具。
【請求項６】
前記１つ又は２つ以上の器具シャフトは、神経組織の存在、近接性、健康状態、又は他の属性を検出するためのセンサを備える、請求項１に記載の器具。
【請求項７】
前記拡張器管の外部表面上に配置可能なアクセス装置を更に備え、前記アクセス装置は、外側シールドと、前記外側シールドの遠位端から突出する牽引表面を備えた内側シールドと、を有する、請求項２に記載の器具。
【請求項８】
前記鋭利な先端の針又は前記鈍い先端のマンドリンのうちの少なくとも一方は、前記本体を通じて完全に挿入されると、前記本体から前記ハンドルが分離するのを防ぐように構成された、近位端部要素を含む、請求項１に記載の器具。
【請求項９】
前記ハンドルは、それぞれの前記鋭利な先端の針又は前記鈍い先端のマンドリンが前記本体を通じて完全に挿入されると、遠位端部要素の少なくとも一部を露出するように構成されている、請求項８に記載の器具。
【請求項１０】
前記本体を通じて互換的に挿入可能な２つ又は３つ以上の器具シャフトを備え、前記２つ又は３つ以上の器具シャフトは、前記鋭利な先端の針、及び前記鈍い先端のマンドリンを備える、請求項１に記載の器具。
【手続補正書】
【提出日】令和3年9月3日(2021.9.3)
【手続補正１】
【補正対象書類名】特許請求の範囲
【補正対象項目名】全文
【補正方法】変更
【補正の内容】
【特許請求の範囲】
【請求項１】
編組メッシュ材料を含む封止要素であって、前記封止要素は、収縮期に自己弁尖と接触して心室から心房への血液の逆流を防ぐためのシールをつくるために自己弁尖間の位置で心臓の自己弁に配置されるような寸法を有しており、前記封止要素が自己弁尖間の位置にある間に前記封止要素は半径方向に拡張および半径方向に縮小することができるように構成されている、封止要素と、
前記心臓内に配置するように構成された係留要素であって、前記係留要素は、前記封止要素に結合されるとともに、自己弁尖間の所望の位置に前記封止要素を支持するように構成された、係留要素と、
を備える、自己弁を治療するデバイス。
【請求項２】
前記封止要素は、軸対称または楕円の頂面断面輪郭を有する、請求項１に記載のデバイス。
【請求項３】
前記係留要素は、２５ｍｍから７０ｍｍの間の拡張された直径を有する、請求項１に記載のデバイス。
【請求項４】
前記係留要素は、形状記憶材料を含む、請求項１に記載のデバイス。
【請求項５】
前記封止要素の編組メッシュ材料上に配置された被覆材をさらに備える、請求項１に記載のデバイス。
【請求項６】
前記封止要素の編組メッシュ材料は、球形を形成している、請求項１に記載のデバイス。
【請求項７】
前記封止要素の編組メッシュ材料は、前記封止要素の周囲の周りに様々な半径方向寸法を有する形状を形成している、請求項１に記載のデバイス。
【請求項８】
心臓の自己弁を治療するシステムであって、
送達カテーテルと、
収縮期中に自己弁尖に接触して心室から心房への血液の逆流を防ぐためのシールをつくるために前記自己弁の自己弁尖間の位置で前記自己弁内に配置されるような寸法を有する封止要素であって、前記封止要素は、自己弁尖間の位置にある間、前記封止要素が半径方向に拡張および半径方向に縮小できるように構成されている、封止要素と、
心臓内での配置に適合された係留要素であって、前記係留要素は、前記封止要素に結合されるとともに、自己弁尖間の所望の位置で前記封止要素を支持するように構成された、係留要素と、
を備え、係留部材および人工封止部材は、前記送達カテーテル内につぶれた状態で位置するように構成されている、システム。
【請求項９】
前記封止要素は、軸対称または楕円の頂面断面輪郭を有する、請求項８に記載のシステム。
【請求項１０】
前記封止要素の編組メッシュ材料上に配置された被覆材をさらに備える、請求項８に記載のシステム。
【請求項１１】
前記封止要素の編組メッシュ材料は、球形を形成している、請求項８に記載のシステム。
【請求項１２】
前記封止要素の編組メッシュ材料は、フレームの周囲の周りに様々な半径方向寸法を有する形状を形成している、請求項８に記載のシステム。
【請求項１３】
自己弁尖間に係留されて弁機能を改善するように構成された封止要素であって、前記封止要素は、
送達形態および拡張された形態を備えるメッシュ支持フレームであって、前記送達形態において、前記メッシュ支持フレームは、送達直径を有する実質的に管状であり、前記拡張された形態において、前記メッシュ支持フレームはその中心部分で、拡張された中央直径まで半径方向に拡張されるが、前記メッシュ支持フレームの端部は送達直径のままであり、前記拡張された直径は、前記送達直径の少なくとも２倍である、メッシュ支持フレームと、
前記メッシュ支持フレームを覆う被覆材であって、前記被覆材は、血液がその中を通ることを防ぐ、被覆材と、
を備える、封止要素。
【請求項１４】
前記拡張された中央直径は、前記送達直径の少なくとも３倍である、請求項１３に記載の封止要素。
【請求項１５】
前記拡張された中央直径は、前記送達直径の少なくとも５倍である、請求項１３に記載の封止要素。
【請求項１６】
前記拡張された形態の封止要素は、軸対称の頂面輪郭を備える、請求項１３に記載の封止要素。
【請求項１７】
前記拡張された形態の封止要素は、細長い頂面輪郭を備える、請求項１３に記載の封止要素。
【請求項１８】
前記拡張された形態の封止要素は、楕円の頂面輪郭を備える、請求項１３に記載の封止要素。
【請求項１９】
前記封止要素の編組メッシュ材料は、球形を形成している、請求項１３に記載の封止要素。
【請求項２０】
前記封止要素の編組メッシュ材料は、フレームの周囲の周りに様々な半径方向寸法を有する形状を形成している、請求項１３に記載の封止要素。
【手続補正書】
【提出日】令和3年9月1日(2021.9.1)
【手続補正１】
【補正対象書類名】明細書
【補正対象項目名】０００３
【補正方法】変更
【補正の内容】
【０００３】
液体を包装するために使用されるポリオレフィンフィルムは、米国特許第４，５０３，１０２号明細書、米国特許第４，５２１，４３７号明細書、米国特許第５，２０６，０７５号明細書、米国特許第５，３６４，４８６号明細書、米国特許第５，５０８，０５１号明細書、米国特許第５，７２１，０２５号明細書、米国特許第５，８７９，７６８号明細書、米国特許第５，９４２，５７９号明細書、米国特許第５，９７２，４４３号明細書、米国特許第６，１１７，４６５号明細書、米国特許第６２５６，９６６号明細書、米国特許第６，４０６，７６５号明細書、米国特許第６，４１６，８３３号明細書、米国特許および米国特許第６，７６７，５９９号明細書に記載されている。これらの特許は、食品包装を含む包装のための可撓性包装を製造するために使用されるポリマーブレンドを記載する。これらの特許は、参照によってここに組み入れられる。
【手続補正２】
【補正対象書類名】明細書
【補正対象項目名】０００６
【補正方法】変更
【補正の内容】
【０００６】
【特許文献１】米国特許第４，５０３，１０２号明細書
【特許文献２】米国特許第４，５２１，４３７号明細書
【特許文献３】米国特許第５，２０６，０７５号明細書
【特許文献４】米国特許第５，３６４，４８６号明細書
【特許文献５】米国特許第５，５０８，０５１号明細書
【特許文献６】米国特許第５，７２１，０２５号明細書
【特許文献７】米国特許第５，８７９，７６８号明細書
【特許文献８】米国特許第５，９４２，５７９号明細書
【特許文献９】米国特許第５，９７２，４４３号明細書
【特許文献１０】米国特許第６，１１７，４６５号明細書
【特許文献１１】米国特許第６，２５６，９６６号明細書
【特許文献１２】米国特許第６，４０６，７６５号明細書
【特許文献１３】米国特許第６，４１６，８３３号明細書
【特許文献１４】米国特許第６，７６７，５９９号明細書
【手続補正３】
【補正対象書類名】明細書
【補正対象項目名】００５４
【補正方法】変更
【補正の内容】
【００５４】
オプションのバリヤー層に適した材料の非限定的な例としては、塩化ビニリデンおよびアクリル酸メチル、メタクリル酸メチルまたは塩化ビニリデンのコポリマー（例えばダウ・ケミカル社から入手可能なＳＡＲＡＮ樹脂）、エチレンビニルアルコール（ＥＶＯＨ）、金属箔（例えばアルミニウムホイル）が挙げられる。あるいは、ＢＯＮ、ＯＰＥＴまたはＯＰＰのようなフィルムの上にアルミニウムまたは酸化ケイ素を蒸着したような変性ポリマーフィルムは、ラミネート多層フィルムにおいて使用されるときに、バリヤー性を得るために使用することができる。
【手続補正４】
【補正対象書類名】特許請求の範囲
【補正対象項目名】全文
【補正方法】変更
【補正の内容】
【特許請求の範囲】
【請求項１】
感覚器官刺激物質用可撓性容器の中に包装された食品の感覚器官刺激特性の劣化を減少させる方法であって、該方法は感覚器官刺激物質用可撓性容器を用意する工程を含み、感覚器官刺激物質用可撓性容器はポリエチレンを含むフィルムから作られ、ポリエチレンは少なくとも１種の耐酸化性かつ非移行性スリップ剤ポリシロキサンを含む、方法。
【請求項２】
前記食品は感覚器官刺激特性が変化を受けやすい食品である、請求項１に記載の方法。
【請求項３】
感覚器官刺激性特性が変化を受けやすい食品は液体である、請求項２に記載の方法。
【請求項４】
前記液体はコーヒー、ビール、水またはワインである、請求項３に記載の方法。
【請求項５】
可撓性容器はパウチ、バッグまたはバッグインボックスである、請求項１に記載の方法。
【請求項６】
耐酸化性スリップ剤は、超高分子量シロキサンポリマーが分散したポリエチレンを含むマスターバッチである、請求項１に記載の方法。
【請求項７】
ポリエチレンを含むフィルムは１つを超える層を含む、請求項１に記載の方法。
【請求項８】
耐酸化性スリップ剤は多層フィルムの外層に添加されている、請求項７に記載の方法。
【請求項９】
ポリエチレンはＬＬＤＰＥを含む、請求項１に記載の方法。
【請求項１０】
フィルムは有機スリップ剤を含まない、請求項１に記載の方法。
【請求項１１】
感覚器官刺激特性が変化を受けやすい食品を含む感覚器官刺激特性の劣化が低減された包装食品であって、感覚器官刺激性特性が変化を受けやすい食品は感覚器官刺激物質用可撓性容器の中に包装され、感覚器官刺激物質用可撓性容器はポリエチレンを含むフィルムから作られ、ポリエチレンは少なくとも１種の耐酸化性かつ非移行性スリップ剤ポリシロキサンを含む、包装食品。
【請求項１２】
感覚器官刺激特性が変化を受けやすい食品は液体である、請求項１１に記載の包装食品。
【請求項１３】
前記液体はコーヒー、ビール、水またはワインである、請求項１２に記載の包装食品。
【請求項１４】
可撓性容器はパウチ、バッグまたはバッグインボックスである、請求項１１に記載の包装食品。
【請求項１５】
耐酸化性スリップ剤は超高分子量シロキサンポリマーが分散したポリエチレンを含むマスターバッチである、請求項１１に記載の包装食品。
【請求項１６】
ポリエチレンを含むフィルムは１つを超える層を含む、請求項１１に記載の包装食品。
【請求項１７】
耐酸化性スリップ剤は多層フィルムの外層に添加されている、請求項１６に記載の包装食品。
【請求項１８】
ポリエチレンはＬＬＤＰＥを含む、請求項１１に記載の包装食品。
【請求項１９】
前記フィルムは有機スリップ剤を含まない、請求項１１に記載の包装食品。